(57)【特許請求の範囲】
【請求項１】
パチンコ店の島に対し前方横方向に片開き可能に取付けられる前枠の裏面には弾性の少ない硬質合成樹脂からなるタンク本体が設けられ、前枠が島に対し閉じられた状態において島の球補給装置から供給される球を貯蔵するための球貯留室をタンク本体が前枠の裏面から裏側に突出しかつ上側開放状に形成し、タンク本体の上部開口縁には弾性の有る軟質合成樹脂からなる球こぼれ防止部が設けられ、この球こぼれ防止部がタンク本体の上部開口縁に取付けられる基部と基部より上方に突出する多数の舌片とを有し、この多数の舌片が、タンク本体の上部開口縁におけるタンク本体を前枠の側から見た場合に特定される後側縁部とこれの一端より前枠の側に連なる側縁部とに対応して配置され、後側縁部に対応して配置される舌片は幅よりも薄い厚さがタンク本体を前枠の側から見た場合に特定される前後に向けられかつ厚さよりも広い幅がタンク本体を前枠の側から見た場合に特定される左右に向けられて互いに左右に所定の隙間を以って左右方向に配置され、側縁部に対応して配置される舌片は幅よりも薄い厚さがタンク本体を前枠の側から見た場合に特定される前後に向けられかつ厚さよりも広い幅がタンク本体を前枠の側から見た場合に特定される左右に向けられて互いに前後に所定の隙間を以って前後方向に配置されたことを特徴とする遊技機のタンク。
【請求項２】
タンク本体が上部開口縁から外側に突出するフランジを備え、球こぼれ防止部の基部が下側から上側に窪む収容溝を備え、収容溝を形成する基部の外壁にはフランジ受部が設けられ、収容溝がタンク本体の上部開口縁に外嵌挿入されることで、フランジ受部がフランジの下側にもぐり込むことを特徴とする請求項１記載の遊技機のタンク。
【請求項３】
タンク本体が球貯留室の側に位置する内側面から内側に突出する係合突起を備え、球こぼれ防止部の基部が下側から上側に窪む収容溝を備え、収容溝を形成する基部の内壁には嵌合孔が設けられ、収容溝がタンク本体の上部開口縁に外嵌挿入されることで、係合突起と嵌合孔とが互いに嵌まり込むことを特徴とする請求項１記載の遊技機のタンク。
【発明の詳細な説明】
【０００１】
【発明の属する技術分野】
本発明は、遊技機のタンクであって、特に球がタンク本体から落ちることを防ぐ構造に関する。
【０００２】
【従来の技術】
図１２は実用新案登録第２５４０１０２号公報で開示された遊技機のタンクを示す。タンク本体５０は遊技機枠体５１の前側横方向に片開き可能な前枠５２の裏側に設けられ、島の球補給装置５３側から供給される球を貯蔵する。タンク本体５０の上部開口縁には多数の舌片５４を有する球こぼれ防止部５５が取付けられる。
【０００３】
【発明が解決しようとする課題】
前記従来例では、島には異なる種類のパチンコ機のような遊技機が取付けられる。どの種類の遊技機が取付けられても球を補給できるように、球補給装置５３が島に大工仕事で取付けられる。このようなことから、球補給装置５３の位置は或る１つの遊技機では中央に位置し、別の１つの遊技機では中央より片側に位置するというように、遊技機の種類が異なった場合に、遊技機に対する球補給装置５３の位置が異なる。このため、側縁部側の舌片５４では次のような問題が生じる。すなわち、図１３に示すように、前枠５２の開閉時において、舌片５４が幅方向から球補給装置５３に衝突することがある。横上開口縁（上開口を形成する側縁部）に設けられた舌片５４は、広い幅Ｄ３が前枠５２の前後方向に向けられ、薄い厚さｔ３が前枠５２の左右方向に向けられる構造であるから、幅Ｄ３方向に撓みにくい。側縁部の舌片５４が球補給装置と干渉した場合には、この舌片が球補給装置で撓みにくい方向に弾性変形されるので、前枠５２を開閉するために大きな力が必要となる。又、舌片が撓みにくい方向に曲げられることから損傷を受け易い。
【０００４】
そこで、本発明は、前枠の開閉力の小量化と舌片の耐久性の向上とが図れる遊技機のタンクを提供するものである。
【０００５】
【課題を解決するための手段】
本発明に係る遊技機のタンクは、パチンコ店の島に対し前方横方向に片開き可能に取付けられる前枠の裏面には弾性の少ない硬質合成樹脂からなるタンク本体が設けられ、前枠が島に対し閉じられた状態において島の球補給装置から供給される球を貯蔵するための球貯留室をタンク本体が前枠の裏面から裏側に突出しかつ上側開放状に形成し、タンク本体の上部開口縁には弾性の有る軟質合成樹脂からなる球こぼれ防止部が設けられ、この球こぼれ防止部がタンク本体の上部開口縁に取付けられる基部と基部より上方に突出する多数の舌片とを有し、この多数の舌片が、タンク本体の上部開口縁におけるタンク本体を前枠の側から見た場合に特定される後側縁部とこれの一端より前枠の側に連なる側縁部とに対応して配置され、後側縁部に対応して配置される舌片は幅よりも薄い厚さがタンク本体を前枠の側から見た場合に特定される前後に向けられかつ厚さよりも広い幅がタンク本体を前枠の側から見た場合に特定される左右に向けられて互いに左右に所定の隙間を以って左右方向に配置され、側縁部に対応して配置される舌片は幅よりも薄い厚さがタンク本体を前枠の側から見た場合に特定される前後に向けられかつ厚さよりも広い幅がタンク本体を前枠の側から見た場合に特定される左右に向けられて互いに前後に所定の隙間を以って前後方向に配置されたことを特徴とする。よって、本発明に係る遊技機のタンクは、前枠が島に設置されて開閉される時に、島の球補給装置と舌片とが干渉した場合、舌片が容易に撓むことができ、前枠の開閉力の少量化と舌片の耐久性の向上とを図ることができる。又、本発明に係る遊技機のタンクにおいて、タンク本体が上部開口縁から外側に突出するフランジを備え、球こぼれ防止部の基部が下側から上側に窪む収容溝を備え、収容溝を形成する基部の外壁にはフランジ受部が設けられ、収容溝がタンク本体の上部開口縁に外嵌挿入されることで、フランジ受部がフランジの下側にもぐり込むか、または、タンク本体が球貯留室の側に位置する内側面から内側に突出する係合突起を備え、球こぼれ防止部の基部が下側から上側に窪む収容溝を備え、収容溝を形成する基部の内壁には嵌合孔が設けられ、収容溝がタンク本体の上部開口縁に外嵌挿入されることで、係合突起と嵌合孔とが互いに嵌まり込めば、球こぼれ防止部の基部がタンク本体の上部開口縁に適切に装着される。
【０００６】
【発明の実施の形態】
図１乃至図７は本発明の第１実施形態に係る遊技機のタンク１であって、図１はタンク１を示し、図２は舌片５；６と球補給装置９との衝突を示し、図３はタンク１と球こぼれ防止部３とを示し、図４は舌片５；６の構造及び球こぼれ防止部３とタンク本体２との組付構造を示し、図５はタンク１と球補給装置９との関係を示し、図６は前枠２４の開閉を示し、図７は舌片６が倒された状態を示す。
【０００７】
図１を参照し、タンク１について説明する。タンク１は、タンク本体２と球こぼれ防止部３とを備える。タンク本体２はＡＢＳやポリカーボネート等の弾性が少ない硬質合成樹脂により上方に開口された箱状に形成される。球こぼれ防止部３はＰＥＴや塩化ビニール又はゴム等の軟質合成樹脂により形成されており、細長な基部４と基部４より上方に突出する多数の舌片５；６とを有する。球こぼれ防止部３は、この場合はゴム系のアロエ材料（ポリプロピレンとスチレンブタジエンゴムの混合材料等）を用いており、弾性に優れながらも成形時における収縮（変形）が少なく、温度による寸法変化が少ない。基部４がタンク本体２の上開口を形成する後側縁部７とこれの一端より前側に連なる右側縁部８とに装着される。その状態において、多数の舌片５；６は後側縁部７と右側縁部８とに配置される。後側縁部７に配置された多数の後縁部側舌片５は、幅Ｄ１よりも薄い厚さｔ１が前後に向けられ、厚さｔ１よりも広い幅Ｄ１が左右に向けられて、互いに左右に所定の隙間ｄ１を以って左右方向に列状に配置される。右側縁部８に配置された多数の側縁部側舌片６は、幅Ｄ２よりも薄い厚さｔ２が前後に向けられ、厚さｔ２よりも広い幅Ｄ２が左右に向けられて、互いに前後に所定の隙間ｄ２を以って前後方向に列状に配置される。
【０００８】
タンク１が前枠２４に取付けられた状態において前枠２４が人為的に開閉される場合には、例えば、図２に示すように右側縁部側舌片６と球補給装置９とが矢印Ｘ方向で衝突すると、右側縁部側舌片６が実線示位置から点線示位置に撓む。
【０００９】
図３に示すように、タンク本体２は後側縁部７と右側縁部８とに加えて、後側縁部７の他端より前側に連なる左側縁部１０を有する。左側縁部１０の上端は、右側縁部８及び後側縁部７の上端より上方に位置する。左側縁部１０の上端と後側縁部７の上端とは左側が右側より徐々に高くなる斜面状の駆上り部１１を経由して連なる。後側縁部７の上端と右側縁部８の上端とは平坦状に連なる。タンク本体２が板状のタンクベース１２の裏面に図外の止ねじで裏側より締結されることにより、上側開放状の球貯留室１３が形成される。球こぼれ防止部３は、後側縁部７と右側縁部８及び左側縁部１０の上縁で形成されたタンク本体２の上部開口縁１４と対応する形状に成形される。
【００１０】
図４に示すように、側縁部側舌片６は、幅Ｄ２が基部４側の根元６ａから上方の先端６ｂに行くに従って徐々に小さくなると共に厚さｔ２が根元６ａから先端６ｂに行くに従って徐々に薄くなるような先細り形状である。後縁部側舌片５は側縁部側舌片６と同様な先細り形状であり、幅Ｄ２を厚さｔ１と読み替えて厚さｔ２を幅Ｄ１と読み替えれば形状が理解できるであろう。このような形状を舌片５；６が有するので、舌片５；６の高さを高くした場合であっても、球がタンク１に満杯に入った時に、舌片５；６の根元が折れ曲がって球がこぼれることはない。後縁部側舌片５と側縁部側舌片６とが連なる隅部における後縁部側舌片５と側縁部側舌片６との隙間、各後縁部側舌片５相互の隙間ｄ１、各側縁部側舌片６相互の隙間ｄ２は球の直径より小さく設定される。側縁部側舌片６の高さｈ２は後縁部側舌片５の高さと揃えられ、タンク本体２の左側縁部１０に装着された球こぼれ防止部３の左側縁部２２の上端より上側に突出する。
【００１１】
基部４は、上壁１５と、上壁１５の外側縁より下側に突出する外壁１６と、上壁１５の内側縁より下側に突出する内壁１７とを備える。上壁１５と内壁１７及び外壁１６が下側から上側に窪む収容溝１８を形成する。収容溝１８は、基部４の底面全域に渡って形成され、右側縁部８及び左側縁部１０の前端にも開口する。収容溝１８は、右側縁部８と後側縁部７とが連なる隅部及び左側縁部１０と後側縁部７とが連なる隅部においても、内壁１７；外壁１６の厚さがその他の直線部分と同様に型成形により形成される。隅部を薄肉ヒンジとして簡易な構造で構成してもよいが、この実施形態は隅部における内壁１７；外壁１６の肉厚をその他の直線部分における内壁１７；外壁１６の肉厚と同程度とすることにより隅部が強靭となり、外力が加えられても隅部が切断されたり破損されることは防止される。
【００１２】
タンク本体２の上部開口全縁にはフランジ１９が外側に突出する。タンク本体２の内側面には係合突起２３が内側に突出する。係合突起２３の上側面２３ａは突出するに従って徐々に下る斜面である。内壁１７の上部は内外方向に貫通する嵌込孔２０を有する。外壁１６の内面にはフランジ受部２２が内側に突出する。フランジ受部２２の上側面２２ａは突出するに従って徐々に下る斜面である。嵌込孔２０及びフランジ受部２２は、右側縁部８と後側縁部７及び左側縁部１０にも形成される。フランジ受部２２が外壁１６の内面から突出する形状であっても、球こぼれ防止部３が軟質合成樹脂で形成され、フランジ受部２２の上側面２２ａが下り斜面であるので、球こぼれ防止部３がそれを形成する金型から引抜かれる際に、上側面２２ａが金型から斜めの外力を受け、フランジ受部２２及び外壁１６が圧縮される。そのため、球こぼれ防止部３が金型から引き抜き易くなる。球こぼれ防止部３がタンク本体２の上部開口縁１４に取付けられる場合、フランジ１９の上縁がフランジ受部２２の下縁に接触し、上側面２３ａが内壁１７の下縁に接触し、収容溝１８がタンク本体２の上部開口縁１４に外嵌挿入されるに従って、フランジ受部２２がフランジ１９の下側にもぐり込み、内壁１７が上側面２３ａに接触して内側に広がるように撓み、係合突起２３と嵌込孔２０とが互いに嵌まり込む。これにより、球こぼれ防止部３が基部４の弾性作用下でタンク本体２の上部開口縁１４に装着される。
【００１３】
図５に示すように、タンク本体２とタンクベース１２とからなる部品は前枠２４の裏面に取付けられる。前枠２４は額縁状の外枠２５に枠ヒンジ２６で前方横方向に片開き可能に取付けられる。外枠２５は図外のパチンコ店の島に設置される。外枠２５の上縁部には切欠部２７が後側に形成される。切欠部２７が島に設けられた球補給装置９を逃げることによって、外枠２５と球補給装置９との干渉が防止される。
【００１４】
図６に示すように、枠ヒンジ２６のヒンジ点２６Ｐは外枠２５の前面より前側に位置すると共に前枠２４の裏面より前側に位置する。前枠２４が仮想線示位置から実線示位置へ枠ヒンジ２６のヒンジ点２６Ｐを中心として閉じられる際、タンク１が外枠２５で囲まれた内部空間を通り、タンク１の大半の部分が外枠２５より裏側に突出する。この前枠２４が閉じられる過程では、ヒンジ点２６Ｐがタンク１の前端より前側に位置するため、タンク１が球補給装置９から見ると左側から右側に食い込むように移動する。そのため、球こぼれ防止部３と球補給装置９とが前後方向で干渉する左右範囲が広くなる。
【００１５】
図６の前枠２４が仮想線示位置から実線示位置へと閉じられる過程において、図７に示すように、側縁部側舌片６が球補給装置９の前側面に衝突した場合、球補給装置９の前側面が側縁部側舌片６の先端６ｂ側が前側になぎ倒される。このとき、側縁部側舌片６は、厚さｔ２で球補給装置９からの衝突力を受けて撓み易い方向である厚さｔ２方向に弾性変形されるので、前枠２４は小さな力で開閉できる。又、側縁部側舌片６が撓み易い方向に曲げられることから損傷を受けにくくなり、側縁部側舌片６の耐久性が向上する。
【００１６】
図８は本発明の第２実施形態を示す。タンク本体３０の上部開口縁３１が平坦状であり、基部３２が平坦状の球こぼれ防止部３３を使用し、球こぼれ防止部３３の左側縁部３４にも左縁部側舌片３５が形成される。左縁部側舌片３５の高さは、側縁部側舌片３６の高さ及び後縁部側舌片３７の高さと揃えられる。これらの高さを高くすれば、球貯留室３８の容量が大きくなる。
【００１７】
図９（ａ）は本発明の第３実施形態を示す。全ての舌片４０の幅方向は右側が左側よりも前側に突出するような右前傾状に傾斜される。球こぼれ防止部３とヒンジ点２６Ｐと球補給装置９との位置関係により、矢印Ｘ１方向で示す外力が舌片４０に加えられた場合に舌片４０が撓み易い。
【００１８】
図９（ｂ）は本発明の第４実施形態を示す。全ての舌片４１の幅方向は左側が右側よりも前側に突出するような左前傾状に傾斜斜される。球こぼれ防止部３とヒンジ点２６Ｐと球補給装置９との位置関係により、矢印Ｘ２方向で示す外力が舌片４１に加えられた場合に舌片４１が撓み易い。
【００１９】
図９（ｃ）は本発明の第５実施形態を示す。右前傾状の舌片４２と左前傾状の舌片４３とが隣接して向かい合うように交互に配置される。矢印Ｘ３方向で示す外力と矢印Ｘ３と交差する矢印Ｘ４方向で示す外力とがそれぞれ舌片４２；４３に個別に加わった場合に舌片４２；４３が撓み易い。
【００２０】
図１０は本発明の第６実施形態を示す。ａ図は球こぼれ防止部３の右側縁部８が右前傾状の舌片４４を有する。ｂ図は右側縁部８が左前傾状の舌片４５を有する。ｃ図は右側縁部８に右前傾状の舌片４６と左前傾状の舌片４７とが隣接して向かい合うように交互に配置される。
【００２１】
図１１は本発明の第７実施形態を示す。ａ図は球こぼれ防止部３の基部４が左縁要素４８と右縁要素４９と後縁要素５０とよりなる複数の直線要素４８〜５０に分割される。ｂ図は基部４が折曲状の左後縁要素５１と右縁要素４９とに分割される。ｃ図は基部４が折曲状の右後縁要素５２と左縁要素４８とに分割される。ｄ図は基部が折曲状の左側要素５３と折曲状の右側要素５４とに分割される。左側・右側要素５３；５４は対象形状でもよく、各要素５３；５４を成形する型の基部４に相当する部分が同一形状となる。このように基部４を複数の要素に分割し、球補給装置９の形状や位置つまり島環境に応じて、幅方向が左右に向けられた舌片や右前傾状又は左前傾状の舌片を部分的に交換して使用できる。
【図面の簡単な説明】
【図１】  本発明の第１実施形態のタンクを示す模式図。
【図２】  同第１実施形態の舌片と球補給装置との干渉を示す模式図。
【図３】  同第１実施形態のタンクの外観を示す斜視図。
【図４】  同第１実施形態の球こぼれ防止部とタンク本体とを示す斜視図。
【図５】  同第１実施形態の外観を示す斜視図。
【図６】  同第１実施形態のタンクと球補給装置との干渉を示す平面図。
【図７】  同第１実施形態の舌片と球補給装置との干渉状態を示す模式図。
【図８】  本発明の第２実施形態を示す斜視図。
【図９】  本発明の第３乃至第５実施形態を示す平面図。
【図１０】  本発明の第６実施形態を示す平面図。
【図１１】  本発明の第７実施形態を示す平面図。
【図１２】  従来例の全体構造を示す模式図。
【図１３】  従来例の球こぼれ防止部を示す平面図。
【符号の説明】
１  タンク
２  タンク本体
３  球こぼれ防止部
５  後縁部側舌片
６  側縁部側舌片
６ａ  根元
６ｂ  先端
８  右側縁部
１４  上部開口縁
２４  前枠
Ｄ１；Ｄ２  幅
ｔ１；ｔ２  厚さ
【図１】
0003819222.tif 000002
【図２】
0003819222.tif 000003
【図３】
0003819222.tif 000004
【図４】
0003819222.tif 000005
【図５】
0003819222.tif 000006
【図６】
0003819222.tif 000007
【図７】
0003819222.tif 000008
【図８】
0003819222.tif 000009
【図９】
0003819222.tif 000010
【図１０】
0003819222.tif 000011
【図１１】
0003819222.tif 000012
【図１２】
0003819222.tif 000013
【図１３】
0003819222.tif 000014